(57)【要約】【課題】通信データのダウンロード時間を短縮する。【解決手段】通信機器１は、外部との通信を行う通信部１１と、通信部１１により受信したウェブページデータを記憶する記憶部１７と、ウェブページデータの受信を行う際に通信部１１の通信状態を活性化させ、当該受信が完了してから第１所定時間経過後に通信状態を非活性状態とする制御部１６と、通信部１１が受信したウェブページデータの表示を行う表示部１３とを備え、制御部１６は、記憶部１７に記憶されているウェブページデータを表示部１３に表示し、当該ウェブページデータの表示割合が所定値よりも大きくなった際に、当該ウェブページデータの受信完了から第１所定時間が経過して通信部１１の通信状態が非活性状態にある場合、通信部１１の前記通信状態を活性化させる。【選択図】図４
2011049909.tif 000002
【特許請求の範囲】
【請求項１】
外部との通信を行う通信部と、
前記通信部により受信したウェブページデータを記憶する記憶部と、
前記ウェブページデータの受信を行う際に前記通信部の通信状態を活性化させ、当該受信が完了してから第１所定時間経過後に通信状態を非活性状態とする制御部と、
前記通信部が受信したウェブページデータの表示を行う表示部と
を備え、
前記制御部は、
前記記憶部に記憶されているウェブページデータを前記表示部に表示し、
当該ウェブページデータの表示割合が所定値よりも大きくなった際に、当該ウェブページデータの受信完了から前記第１所定時間が経過して前記通信部の通信状態が非活性状態にある場合、前記通信部の前記通信状態を活性化させる
通信機器。
【請求項２】
前記制御部は、
変調方式の高速変調化およびスロット数の増設の少なくとも一方を外部の基地局に行わせることにより前記通信状態を活性化させる
請求項１記載の通信機器。
【請求項３】
前記通信部は、
受信したウェブページデータのデータサイズが所定値以上の場合、前記第１所定時間を短くする
請求項１または２記載の通信機器。
【請求項４】
前記制御部は、
スクロールバーを前記表示部に表示させ、
前記スクロールバーがスクロールされた割合に基づいて前記表示割合を取得する
請求項１から３のいずれか一項記載の通信機器。
【請求項５】
前記通信部は、
テキストデータを有するウェブページデータを受信し、
前記制御部は、
前記テキストデータのうち、既に前記表示部に表示されたテキストデータの、前記ウェブページデータが有するテキストデータの全体に対する割合に基づいて、前記表示割合を取得する
請求項１から４のいずれか一項記載の通信機器。
【請求項６】
通信部と、記憶部と、表示部とを備える通信機器の通信制御方法であって、
前記通信部の通信状態を活性化してウェブページデータを受信する第１ステップと、
前記記憶部に受信したウェブページデータを記憶させる第２ステップと、
前記ウェブページデータの受信を完了してから第１所定時間が経過すると、前記通信部の通信状態を非活性状態にする第３ステップと、
前記記憶部に記憶されているウェブページデータを前記表示部にて表示を行う第４ステップと、
前記第４ステップによる表示での前記ウェブページデータの表示割合が所定値を超えた場合に前記通信部の通信状態が前記第３ステップによって非活性状態にされているとき、当該通信状態を活性状態に変更する第５ステップと
を有する通信機器の通信制御方法。
【請求項７】
外部との通信状態を活性化した状態でウェブページデータの送信を行い、当該ウェブページデータの送信が完了してから第１所定時間経過後に通信状態を非活性状態にする第１通信部を備える基地局と、
前記第１通信部と通信を行う第２通信部を有する通信機器と
を有する通信システムであって、
前記通信機器は、
前記第２通信部により受信したウェブページデータを記憶する記憶部と、
表示部と、
前記記憶部に記憶されているウェブページデータを前記表示部に表示させる制御部と
を有し、
前記制御部は、
当該ウェブページデータの表示割合が所定値よりも大きくなった際に、前記ウェブページデータの受信完了から前記第１所定時間が経過して前記通信部の通信状態が非活性状態にある場合、前記第２通信部にダミーの通信データを送信させ、
前記第１通信部は、
前記ダミーの通信データを受信したことを契機として前記第２通信部との通信を活性化させる
通信システム。
【発明の詳細な説明】
【技術分野】
【０００１】
本発明は、ウェブブラウジング機能を有する通信機器、通信機器の通信制御方法および通信システムに関する。
【背景技術】
【０００２】
近年、通信機器は、インターネット上のウェブサイトを閲覧するブラウザ機能を有している。
特許文献１では、インターネット上のウェブサイトのウェブページを携帯電話機にダウンロードし、閲覧する。
【先行技術文献】
【特許文献】
【０００３】
【特許文献１】特開平１１−２６２０５４号公報
【発明の概要】
【発明が解決しようとする課題】
【０００４】
しかしながら、携帯電話機と基地局との通信路は、ウェブサイトの閲覧用の通信データに最適化されたものではない。
携帯電話機と基地局との通信路は、通話用の通信データにも用いられる。
また、携帯電話機と基地局との通信路は、通信データ量に応じて基地局によりスループットが自動的に制御される。
たとえば通信データが無い場合、または通信データが少ない場合、基地局は、携帯電話機と基地局との通信路を低いスループットに切り替える。
そして、通信データ量が増えた場合、基地局は、携帯電話機と基地局との通信路を高いスループットに切り替える。
【０００５】
ところで、ウェブサイトの各ウェブページのデータ量は、年々増加する傾向にある。
また、ウェブページは、ＨＴＭＬ（HyperText Markup Language）、ＸＨＴＭＬ（Extensible HyperText Markup Language）などで記述されたメインのテキストデータの他に、データ量がかさむ画像データを含む構成のものが一般的になってきている。
このため、携帯電話機でウェブページを閲覧する場合、基地局から携帯電話機へ送信する大量のウェブページのデータが発生してから、通信路が低いスループットから高いスループットへ切り替えられる。
その結果、携帯電話機では、当初から本来の高いスループットによりウェブページのデータの受信を開始した場合に比べて、通信データのダウンロードに時間がかかってしまう。
また、携帯電話機では、通信データのダウンロードが遅れた分、ウェブページの表示も遅れてしまう。
このように通信機器および通信システムは、ウェブページデータについて通信が好適に機能しているとはいえない。
【０００６】
このように通信機器および通信システムでは、ウェブページデータについて通信が好適に機能することが求められている。
【課題を解決するための手段】
【０００７】
本発明の第１の観点の通信機器は、外部との通信を行う通信部と、前記通信部により受信したウェブページデータを記憶する記憶部と、前記ウェブページデータの受信を行う際に前記通信部の通信状態を活性化させ、当該受信が完了してから第１所定時間経過後に通信状態を非活性状態とする制御部と、前記通信部が受信したウェブページデータの表示を行う表示部とを備え、前記制御部は、前記記憶部に記憶されているウェブページデータを前記表示部に表示し、当該ウェブページデータの表示割合が所定値よりも大きくなった際に、当該ウェブページデータの受信完了から前記第１所定時間が経過して前記通信部の通信状態が非活性状態にある場合、前記通信部の前記通信状態を活性化させる。
【０００８】
好適には、前記制御部は、変調方式の高速変調化およびリンクスロット数の増設の少なくとも一方を外部の基地局に行わせることにより前記通信状態を活性化させてもよい。
【０００９】
好適には、前記通信部は、受信したウェブページデータのデータサイズが所定値以上の場合、前記第１所定時間を短くしてもよい。
【００１０】
好適には、前記制御部は、スクロールバーを前記表示部に表示させ、前記スクロールバーがスクロールされた割合に基づいて前記表示割合を取得してもよい。
【００１１】
好適には、前記通信部は、テキストデータを有するウェブページデータを受信し、前記制御部は、前記テキストデータのうち、既に前記表示部に表示されたテキストデータの、前記ウェブページデータが有するテキストデータの全体に対する割合に基づいて、前記表示割合を取得してもよい。
【００１２】
本発明の第２の観点の通信機器の通信制御方法は、通信部と、記憶部と、表示部とを備える通信機器の通信制御方法であって、前記通信部の通信状態を活性化してウェブページデータを受信する第１ステップと、前記記憶部に受信したウェブページデータを記憶させる第２ステップと、前記ウェブページデータの受信を完了してから第１所定時間が経過すると、前記通信部の通信状態を非活性状態にする第３ステップと、前記記憶部に記憶されているウェブページデータを前記表示部にて表示を行う第４ステップと、前記第４ステップによる表示での前記ウェブページデータの表示割合が所定値を超えた場合に前記通信部の通信状態が前記第３ステップによって非活性状態にされているとき、当該通信状態を活性状態に変更する第５ステップとを有する。
【００１３】
本発明の第３の観点の通信システムは、外部との通信状態を活性化した状態でウェブページデータの送信を行い、当該ウェブページデータの送信が完了してから第１所定時間経過後に通信状態を非活性状態にする第１通信部を備える基地局と、前記第１通信部と通信を行う第２通信部を有する通信機器とを有する通信システムであって、前記通信機器は、前記第２通信部により受信したウェブページデータを記憶する記憶部と、表示部と、前記記憶部に記憶されているウェブページデータを前記表示部に表示させる制御部とを有し、前記制御部は、当該ウェブページデータの表示割合が所定値よりも大きくなった際に、前記ウェブページデータの受信完了から前記第１所定時間が経過して前記通信部の通信状態が非活性状態にある場合、前記第２通信部にダミーの通信データを送信させ、前記第１通信部は、前記ダミーの通信データを受信したことを契機として前記第２通信部との通信を活性化させる。
【発明の効果】
【００１４】
本発明では、通信データのダウンロード時間を短縮できる。
【図面の簡単な説明】
【００１５】
【図１】図１は、本発明の実施形態に係るＰＨＳ端末の外観図である。
【図２】図２は、図１のＰＨＳ端末のハードウェア構成図である。
【図３】図３は、基地局とＰＨＳ端末との間での通信シーケンスの説明図である。
【図４】図４は、ウェブブラウジングの際の機能のブロック図である。
【図５】図５は、ＰＨＳ端末および基地局の変調方式の説明図である。
【図６】図６は、ウェブページデータの表示開始後のフローチャートである。
【図７】図７は、通信データのスループットの変化の説明図である。
【図８】図８は、表示監視部による他の特性判定処理のフローチャートである。
【図９】図９は、実施形態でのウェブページの送信処理のフローチャートである。
【図１０】図１０は、ウェブページデータの受信時のフローチャートである。
【図１１】図１１は、図１０の処理の説明図である。
【発明を実施するための形態】
【００１６】
以下、本発明の実施形態を図面に関連付けて説明する。
【００１７】
図１は、本発明の実施形態に係るＰＨＳ端末１の外観図である。ＰＨＳ端末１は、図４に示すように、基地局２とともに無線通信システムを構成する。
ＰＨＳ端末１は、基地局２と無線通信により、音声データ、ウェブページデータ４１などを送受する。
ＰＨＳ端末１は、上部筐体１０１、下部筐体１０２およびヒンジ部１０３を有する。
上部筐体１０１および下部筐体１０２は、略同一サイズの長方形形状を有する。
上部筐体１０１と下部筐体１０２とは、ヒンジ部１０３により開閉可能に連結される。
図１は、上部筐体１０１と下部筐体１０２とを開いた状態である。
上部筐体１０１には、表示部１３が設けられる。
下部筐体１０２には、操作部１２が設けられる。
【００１８】
図２は、図１のＰＨＳ端末１のハードウェア構成図である。
ＰＨＳ端末１は、たとえば無線通信部（ＲＦ）１１と、操作部（ＫＥＹ）１２と、表示部（ＤＩＳＰ）１３と、タイマ（ＲＴＣ）１４と、音声モデム部（ＭＯＤＥＭ）１５と、ＣＰＵ（Central Processing Unit）１６と、記憶部（ＭＥＭ）１７と、これらを接続するシステムバス１８とを有する。
【００１９】
無線通信部１１は、基地局２の図示しない無線通信部との間で通信チャネルを確立し、基地局２と通信データを送受する。
【００２０】
図３は、基地局２とＰＨＳ端末１との間で送受される通信データのシーケンスを示す説明図である。図３において、時間は左側から右側へ流れる。
無線通信システム１の基地局２とＰＨＳ端末１とは、たとえばＴＤＭＡ／ＴＤＤ（時間分割多重アクセス／時間分割複信）方式により通信データを送受する。
ＴＤＭＡ／ＴＤＤ方式で通信データを送受する基地局２とＰＨＳ端末１とは、４個の下りスロットＤ１と４個の上りスロットＤ２で構成されるフレーム単位で双方向通信する。
下りスロットＤ１は、基地局２からＰＨＳ端末１へ通信データを送信するスロットである。
上りスロットＤ２は、ＰＨＳ端末１から基地局２へ通信データを送信するスロットである。
そして、基地局２は、ＰＨＳ端末１との通信回線の確立の際に、ＰＨＳ端末１にスロット（リンク）を割り当てる。
また、基地局２は、ＰＨＳ端末１に割り当てるリンクスロット数を適宜変更する。
具体的には、ＰＨＳ端末１が後述する「活性状態（アクティブ状態）」の場合においては、基地局２は、ＰＨＳ端末１に対して割り当てるリンクスロットの数を増やす（増設する）。
また、ＰＨＳ端末１が後述する「非活性状態（インアクティブ状態）」の場合においては、基地局２は、ＰＨＳ端末１に対して割り当てるリンクスロットの数を減らす。
また、基地局２は、通信データ量に応じて、またはＰＨＳ端末１からのリクエストに応じて、各スロットでのＰＨＳ端末１の変調方式を指示する。
これにより、ＰＨＳ端末１は、基地局２と通信データを送受できる。
【００２１】
無線通信部１１は、ＣＰＵ１６からの入力信号に含まれる通信データを基地局２へ無線送信する。
無線通信部１１は、基地局２から受信した通信データを含む信号をＣＰＵ１６へ出力する。
通信データには、無線通信部１１から基地局２へ送信する上りの通信データと、基地局２から無線通信部１１が受信する下りの通信データとがある。
無線通信部１１が送信する上りの通信データには、たとえばウェブブラウジングなどでのウェブページの送信要求などがある。
送信要求には、要求するデータのロケーションを示すＵＲＬ（Uniform Resource Locator）などが含まれる。
無線通信部１１が受信する下りの通信データには、要求したウェブページデータ４１がある。
なお、図４におけるキャッシュデータ４１は、キャッシュエリア４３におけるウェブページデータ４１のことを指す。
【００２２】
ウェブページデータ４１は、たとえばＨＴＭＬ、ＸＭＬなどで記述されたメインのテキストデータの他に、データ量がかさむ画像データをリンクに含むものがある。
また、メインのテキストデータには、他のウェブページへのリンクデータが含まれている。
このウェブページを表示する場合、メインのテキストデータと、リンクされた画像データとを受信する必要がある。
【００２３】
操作部１２は、複数の操作キーを有する。
複数の操作キーには、たとえばファンクションキー、電源キー、通話キー、数字キー、文字キー、発信キーなどがある。
操作キーは、図１に示すように、ＰＨＳ端末１の前面に配置される。
そして、操作部１２は、ユーザにより操作された操作キーに対応する信号をＣＰＵ１６へ出力する。
操作部１２は、表示部１３に表示されたウェブページのリンクを選択し、リンクの選択信号をＣＰＵ１６へ出力する。
【００２４】
表示部１３は、ＬＣＤ（Liquid Crystal Display Device）や有機ＥＬ（Electro-Luminescence）デバイスなどを有する。
ＬＣＤまたは有機ＥＬデバイスは、図１に示すように、ＰＨＳ端末１の前面に配置される。
そして、表示部１３は、ＣＰＵ１６から入力された信号に含まれる表示データを表示する。これにより、表示部１３は、たとえばリンクを含むウェブページなどを表示する。
【００２５】
音声モデム部１５は、スピーカ１９およびマイクロホン２０に接続される。
そして、音声モデム部１５は、マイクロホン２０に入力された音声をサンプリングし、音声データを含む信号をＣＰＵ１６へ出力する。
また、音声モデム部１５は、ＣＰＵ１６からの入力信号に含まれる音声データによりスピーカ１９を駆動する。
これにより、スピーカ１９から音声データに対応する音声が出力される。
【００２６】
タイマ１４は、時刻および経過時間を計測する。
そして、タイマ１４は、ＣＰＵ１６からの入力信号に含まれる設定時刻または経過時間になると、割り込み信号をＣＰＵ１６へ出力する。
【００２７】
記憶部１７は、ＣＰＵ１６が読み込んで実行可能なプログラム、ＣＰＵ１６が使用するデータなどを有する。
記憶部１７に記憶されるプログラムは、たとえばＣＤ−ＲＯＭ（Compact Disc Read Only Memory）などのコンピュータ読み取り可能な記録媒体に記録されたものをインストールしたものであってもよい。
また、記憶部１７に記憶されるプログラムは、インターネットなどの伝送媒体を介してダウンロードしたものがインストールされたものであってもよい。
【００２８】
記憶部１７に記憶されるデータには、後述する図４に示すように、ウェブページデータ４１、ダミー通信データ４２がある。
ウェブページデータ４１は、記憶部１７のキャッシュエリア４３に保存される。
【００２９】
ＣＰＵ１６は、プログラムを実行するコンピュータである。
そして、ＣＰＵ１６が、記憶部１７に記憶されるプログラムを実行することで、ＰＨＳ端末１の制御部が実現される。
制御部は、ＰＨＳ端末１の動作を制御する。
【００３０】
図４は、ウェブブラウジングの際にＰＨＳ端末１に実現される機能を示すブロック図である。
図４には、無線通信システムの基地局２も図示されている。
【００３１】
ウェブブラウジング時には、ＣＰＵ１６には、適応変調部（ＡＭＣ）３１、切替要求出力部（ＲＥＱ）３２、ブラウザ部（ＢＲＷＺ）３３、ダミー出力部（ＤＵＭＭＹ）３４、表示監視部（Ｄ＿ＣＴＲＬ）３５が実現される。
【００３２】
適応変調部３１は、基地局２から指示された変調方式により、送信する通信データを変調し、受信した通信データを復調する。
適応変調部３１は、たとえば無線通信部１１が受信した通信データを復調し、ウェブページデータ４１を生成する。
【００３３】
図５に、ＰＨＳ端末１および基地局２が実行可能な複数の変調方式を示す。
ＰＨＳ端末１または基地局２は、図５に示す複数の変調方式から共通に選択した１つの変調方式により通信データを変調して送受する。
なお、上りの通信データと下りの通信データとに、別々の変調方式を使用してもよい。
図５には、ＢＰＳＫ、ＱＰＳＫ、８ＰＳＫ、１６ＱＡＭ、３２ＱＡＭ、および６４ＱＡＭの６個の変調方式が図示されている。
ＢＰＳＫ、ＱＰＳＫおよび８ＰＳＫは、符号化率が異なる。１６ＱＡＭ、３２ＱＡＭおよび６４ＱＡＭは、符号化率が異なる。ＰＳＫとＱＡＭとは変調方式が異なる。
また、図５に示すように、ＢＰＳＫ、ＱＰＳＫ、８ＰＳＫ、１６ＱＡＭ、３２ＱＡＭ、および６４ＱＡＭは、その順番で１フレームあたりに送受できる通信データのデータ量が多くなる。すなわち、通信データのスループット（データ通信の速度）が高くなる。
なお、図５に示すように、ＢＰＳＫ、ＱＰＳＫ、８ＰＳＫ、１６ＱＡＭ、３２ＱＡＭ、および６４ＱＡＭは、その順番で無線エラーに対する耐性が弱くなる。
【００３４】
切替要求出力部３２は、適応変調部３１の変調方式、スロット数の切替リクエストを適応変調部３１へ出力する。
たとえば切替要求出力部３２は、送信する通信データが多くなると、通信データの通信速度を大きくするための切替リクエストを出力する。具体的には、変調方式を高速変調方式へと切り替え、また、スロット数を増設する（活性状態）。
また、切替要求出力部３２は、通信データの送受信を終えてからタイマ１４により所定の経過時間（第１所定時間）が計測されるまでに新たに送受する通信データがない場合、通信データの通信速度を小さくする切替リクエストを出力する。
これらの切替リクエストは、適応変調部３１および無線通信部１１を通じて基地局２へ送信される。
基地局２は、これらの切替リクエストを受信すると、空きスロットなどを探索し、利用可能な変調方式、スロット数を指定する。
これにより、ＰＨＳ端末１は、インアクティブ状態（非活性状態）になる。
そして、適応変調部３１は、基地局２から指示された変調方式およびスロット数により、通信データを変調する。
【００３５】
ブラウザ部３３（ＢＲＷＺ）３１は、ウェブブラウジングのために動作する。
ブラウザ部３３には、操作部１２から、次に表示するウェブページのリンクの選択信号が入力される。
そして、ブラウザ部３３は、入力指示されたウェブページの送信要求を生成し、適応変調部３１へ出力する。
適応変調部３１は、ウェブページの送信要求を変調し、無線通信部１１から基地局２へ送信する。
送信を要求したウェブページデータ４１が適応変調部３１により復調されると、ブラウザ部３３は、ウェブページデータ４１をキャッシュエリア４３に保存する。
記憶部１７は、キャッシュデータ３２をファイルとして記憶する。
【００３６】
また、ブラウザ部３３は、ウェブページの送信要求に応じて、表示に必要となるすべてのダウンロードデータをキャッシュエリア４３に保存すると、キャッシュエリア４３から表示に係るデータを読み込み、表示データを生成し、表示部１３へ出力する。
これにより、表示部１３には、操作部１２が選択したリンクのホームページが表示される。
【００３７】
ダミー出力部３４は、表示監視部３５によりダミー通信データの出力が指示されると、記憶部１７からダミー通信データを読み込み、適応変調部３１へ出力する。
ダミー出力部３４は、ダミー通信データを繰り返し出力する。
ダミー出力部３４は、ダミー通信データの出力を開始してからタイマ１４により所定の経過時間が計測されるまでにブラウザ部３３がウェブページの送信を要求しない場合、ダミー通信データの出力を終了する。
【００３８】
ダミー通信データ４２は、たとえば所定のウェブページの送信要求のデータである。
なお、ダミーの送信データは、この他にも、ブラウザ部３３が既に受信したウェブページの送信要求のデータであってもよい。
【００３９】
そして、適応変調部３１は、ダミー通信データ４２を変調する。
無線通信部１１は、変調されたダミー通信データ４２を基地局２へ送信する。
また、基地局２は、ダミー通信データ４２により指定されたウェブページデータ４１をインターネットから取得し、無線通信部１１へ送信する。
このダミー通信データ４２に基づく無線通信部１１と基地局２との間の通信データの送受により、基地局２は、無線通信部１１への下りの通信データのスループット（変調方式の変更によるデータ通信の速度）を適応的に上昇させる。
【００４０】
表示監視部３５は、表示部１３によるウェブページデータ４１の表示状態を監視する。
表示監視部３５は、ブラウザ部３３が表示部１３へ出力する表示データと、操作部１２がブラウザ部３３へ出力する操作信号と、キャッシュデータ（キャッシュエリア４３に記憶されたウェブページデータ４１）とに基づいて、表示状態を監視する。
具体的にはたとえば、表示監視部３５は、ウェブページデータ４１の表示が終わる前に、ダミー出力部３４にダミー通信データを出力させる。
また、表示監視部３５は、操作部１２により操作可能なリンクが表示部１３に表示されると、ダミー出力部３４にダミー通信データを出力させる。
また、表示監視部３５は、ウェブページデータ４１を受信したときに、ウェブページデータ４１の表示時間を予想する。
そして、ウェブページデータ４１を受信した後に、ウェブページデータ４１の表示に時間がかかると判断した場合には、表示監視部３５は、切替要求出力部３２に、通信データのスループットを最低にするための切替リクエストを出力させる。
【００４１】
次に、図１のＰＨＳ端末１と基地局２との間でのウェブブラウジング時の動作について説明する。
【００４２】
ウェブブラウジング時には、ＰＨＳ端末１のブラウザ部３３は、ウェブページの送信要求を生成し、適応変調部３１へ出力する。
適応変調部３１は、ウェブページの送信要求を変調する。
無線通信部１１は、変調されたウェブページの送信要求を基地局２へ送信する。
また、基地局２は、ウェブページの送信要求を復調し、要求されたウェブページデータ４１をインターネットから取得する。
基地局２は、取得したウェブページデータ４１を変調し、ＰＨＳ端末１へ送信する。
ＰＨＳ端末１の適応変調部３１は、無線通信部１１が受信したウェブページデータ４１を復調する。
ブラウザ部３３は、ウェブページデータ４１から表示データを生成し、表示部１３へ出力する。表示部１３は、表示データを表示する。
その後、表示したウェブページデータ４１のリンクが操作部１２により選択操作されると、ブラウザ部３３は、選択されたリンク先のウェブページの送信要求を生成し、適応変調部３１へ出力する。
以上の操作を繰り返すことにより、ＰＨＳ端末１の表示部１３には、操作部１２によりリンク先が選択される度に、リンクのウェブページが順次表示される。
【００４３】
また、このようなウェブページの取得処理のバックグランドでは、基地局２とＰＨＳ端末１との間の通信回線は、基地局２により、ウェブページデータ４１などの通信データが発生すると、発生したデータ量に応じて、通信データのスループット（変調方式）が適応的に制御される。
たとえば基地局２は、データ量が多いウェブページをＰＨＳ端末１へ送信する場合、下りの通信データのスループット（変調方式）を順次上げる。
具体的にはたとえば、変調方式がＢＰＳＫから、ＱＰＳＫ、８ＰＳＫ、１６ＱＡＭ、３２ＱＡＭ、および６４ＱＡＭに順次切り替えられる。また、空きスロットがある場合には、そのスロットを新たに割り当てる。
また、基地局２は、ウェブページの送信を終了すると、ＰＨＳ端末１の下りの通信データのスループットを順次下げる。
具体的にはたとえば、変調方式が６４ＱＡＭから、３２ＱＡＭ、１６ＱＡＭ、８ＰＳＫ、ＱＰＳＫ、およびＢＰＳＫに順次切り替えられる。また、不要なスロットがある場合には、そのスロットを開放させる。
ＰＨＳ端末１の適応変調部３１は、基地局２から指示された変調方式により通信データを変復調する。
【００４４】
また、ＰＨＳ端末１の切替要求出力部３２は、通信データの送受信を終えてからタイマ１４により所定の経過時間が計測されるまでに新たに送受する通信データがない場合、通信データのスループットを低下させる切替リクエストを出力する。
基地局２は、この切替リクエストに応じて、通信データのスループットを最低のＢＰＳＫに順次切り替える。また、不要なスロットがある場合には、そのスロットを開放させる。
【００４５】
次に、以上のウェブページの閲覧動作のバックグランドで動作する表示監視部３５およびダミー出力部３４の動作について説明する。
【００４６】
図６は、ウェブページデータ４１の表示を開始した後の表示監視部３５およびダミー出力部３４の動作のフローチャートである。
表示監視部３５は、図６のフローチャートを、ウェブページデータ４１が表示している期間において周期的に繰り返し実行する。
【００４７】
ブラウザ部３３がウェブページデータ４１の表示を開始すると、表示監視部３５は、ブラウザ部３３による送信要求の発生の有無をその発生前に予測するために、ウェブページの構成の特性およびユーザ操作の特性の判定処理を開始する。
特性判定において、表示監視部３５は、ウェブページデータ４１の表示が終了したか否かを判断する（ステップＳＴ１）。
表示監視部３５は、たとえばウェブページデータ４１のデータ量に対する表示済み部分の割合が所定割合以上であるか否かを判断する。
たとえばウェブページデータ４１が表示部１３の３画面分のデータであって、判定の所定割合が８０％以上である場合、表示開始直後の判定において、表示監視部３５は、所定割合以上でないと判断する。
この他にも、表示監視部３５は、本文のテキストの全体量に対する、表示済みのテキスト量の割合、スクロールバーのスクロール割合、現在の表示末端から次に表示するリンクまでの距離に基づいて、表示割合を判定してもよい。
前記通信データのデータ量に対する表示割合、前記通信データのデータ量に対するスクロール割合、および表示テキストに対する表示割合のいずれか１個の割合が、１００％未満の所定割合以上になると、表示監視部３５は、無線通信部１１に通信を開始させる。
【００４８】
表示済み部分の割合が所定割合以上でない場合、表示監視部３５は、表示中の画面にリンクが含まれるか否かを判断する（ステップＳＴ２）。
表示中の画面にリンクが含まれない場合、表示監視部３５は、図６の処理を終了する。
そして、表示済み部分の割合が所定割合以上である場合、または表示中の画面にリンクが含まれる場合、表示監視部３５は、ブラウザ部３３による送信要求が発生する可能性があると判断する。
【００４９】
送信要求が発生する可能性がある場合、表示監視部３５は、ダミー出力部３４に、ダミー通信データの出力開始を指示する。これにより、ＰＨＳ端末１から基地局２へダミーのウェブページの送信要求が送信される。また、基地局２は、要求されたウェブページデータ４１をＰＨＳ端末１へ送信する（ステップＳＴ３）。
【００５０】
ダミー通信データの出力を開始した後、ダミー出力部３４は、ダミー通信データをしてから、タイマ１４によって所定の経過時間が経過したか否かを判断する（ステップＳＴ４）。
【００５１】
所定時間が経過していない場合、ダミー出力部３４は、ブラウザ部３３より、表示に係るウェブページの送信要求が出力されたか否かを判断する（ステップＳＴ５）。
そして、表示に係るウェブページの送信要求が出力されていない場合、ダミー出力部３４は、ダミー通信データを繰り返し出力する（ステップＳＴ３）。
また、タイマ１４が前記所定時間の経過を計測した場合、ダミー出力部３４は、ダミー通信データの出力を終了する。
【００５２】
図７（Ａ）は、実施形態のＰＨＳ端末１でのダミー通信データによる下り通信データのスループットの変化の説明図である。
図７（Ａ）の横軸は時間であり、縦軸はスループット（変調方式の変更によるデータ通信の速度）である。
図７のタイミングＴ１において、ダミーのウェブページの送信要求がＰＨＳ端末１から基地局２へ送信される。
タイミングＴ１におけるダミーのウェブページの送信に呼応して、基地局２は、タイミングＴ２からＴ３において、下りの通信データのスループットを上昇させる。
その後、操作部１２が表示されたリンクを選択すると、タイミングＴ４において、ＰＨＳ端末１は、ブラウザ部３３による本来の表示に係るウェブページの送信要求を基地局２へ送信する。
また、タイミングＴ５から、基地局２は、表示に係るウェブページデータ４１をＰＨＳ端末１へ送信する。
つまり、タイミングＴ５では、ダミーのウェブページデータ４１の送信により下りの通信データのスループット（変調方式の変更によるデータ通信の速度）が既に上昇している。
よって、実施形態では、図７（Ａ）のハッチングに示すように、表示に係るウェブページデータ４１を、受信開始時点から、ＰＨＳ端末１が持つ高いスループットにより受信できる。
【００５３】
図７（Ｂ）は、比較例のＰＨＳ端末１での下り通信データのスループットの変化の説明図である。
図７（Ｂ）の横軸は時間であり、縦軸はスループットである。
比較例のＰＨＳ端末１は、ウェブブラウジング時には、ダミー出力部３４、および表示監視部３５を持たない。
比較例のＰＨＳ端末１は、タイミングＴ６において、ブラウザ部３３による表示に係るウェブページデータ４１の送信要求を基地局２へ送信する。
そして、基地局２は、タイミングＴ７から、ブラウザ部３３による本来の表示に係るウェブページの送信要求を基地局２へ送信する。
また、基地局２は、タイミングＴ７からからＴ８において、下りの通信データのスループットを上昇させる。
よって、比較例のＰＨＳ端末１は、図７（Ｂ）のハッチングに示すように、受信開始時点では、表示に係るウェブページデータ４１を、低いスループットにより受信を開始する。
【００５４】
図８は、表示監視部３５による他の特性判定処理のフローチャートである。
図８では、表示監視部３５は、まず、ユーザによる過去のページの更新速さ（スクロールの速さ）を判定する（ステップＳＴ１１）。
そして、表示監視部３５は、ウェブページデータ４１のデータ量に対する表示済み部分の割合が所定割合以上であるか否かを判断する（ステップＳＴ１２）。
この判定において、表示監視部３５は、更新速さが早い場合には、たとえば判定割合を７０％として判定する。
また、更新速さが遅い場合には、表示監視部３５は、たとえば判定割合を８０％として判定する。
そして、表示済み部分の割合が所定割合以上でない場合、表示監視部３５は、インアクティブ状態（スループットが低い状態）へ移行するか、当該インアクティブ状態を維持する（ステップＳＴ１４）。
表示監視部３５は、図８の処理を終了する。
これに対して、表示済み部分の割合が所定割合以上である場合、表示監視部３５は、アクティブ移行と判断する（ステップＳＴ１３）。
表示監視部３５は、ダミー出力部３４に、ダミー通信データの出力開始を指示する。
ダミー出力部３４は、所定時間が経過するまで、ダミー通信データを繰り返し出力する。
【００５５】
図９は、実施形態のＰＨＳ端末１でのウェブページの要求および送信処理の流れの説明図である。
実施形態のＰＨＳ端末１では、ウェブページがダウンロードされる（ステップＳＴ２１）と、通信がアクティブからインアクティブに切り替わる（ステップＳＴ２２）。
また、実施形態のＰＨＳ端末１では、ウェブページの表示が更新される（ステップＳＴ２３）と、表示の特性判定処理が実行される（ステップＳＴ２４）。
そして、表示に係るウェブページデータ４１の送信要求が発生する可能性がある場合、実施形態のＰＨＳ端末１では、ダミーの通信データが送受され、通信がインアクティブからアクティブに切り替わる（ステップＳＴ２５）。
その後、表示されたリンクが操作部１２により選択されると、ブラウザ部３３により本来のウェブページのダウンロードが開始される（ステップＳＴ２６）。
【００５６】
図１０は、ウェブページデータ４１を受信したときの表示監視部３５および切替要求出力部３２の動作の一実施例を示すフローチャートである。
表示監視部３５は、図１０のフローチャートを、ウェブページデータ４１の受信完了の度に繰り返し実行する。
【００５７】
新たなウェブページデータ４１の受信が完了すると、表示監視部３５は、新たなウェブページデータ４１の表示時間を予想する。
具体的には、表示監視部３５は、新たなウェブページデータ４１のテキスト数をカウントする（ステップＳＴ４１）。
また、表示監視部３５は、テキスト数のカウント値が所定値以上であるか否かを判断する（ステップＳＴ４２）。
テキスト数のカウント値が所定値未満である場合、表示監視部３５は、図１０の処理を終了する。
【００５８】
これに対して、テキスト数のカウント値が所定値以上である場合、ウェブページデータ４１の表示に時間がかかる可能性がある。
ユーザが当該ウェブページのテキストを読むことに時間がかかってしまうことが考えられる。
つまり、アクティブ状態が基地局２とＰＨＳ端末１との間で維持されたとしても、しばらくの間は新しく通信が行われない可能性が大きいため、通信資源が無駄になってしまうおそれがある。
この場合には、表示監視部３５は、スループットを低下させる切替要求の出力を切替要求出力部３２に指示する（ステップＳＴ４３）。このようにして、表示監視部３５は、他のＰＨＳ端末１に通信資源を割くことが可能となり、効率のよい通信システムを実現する。
表示監視部３５は、スループットを低下させる切替要求を適応変調部３１へ出力する。
この切替要求は、無線通信部１１を通じて基地局２へ送信される。
スループットを低下させる切替要求を受信すると、基地局２は、下りの通信データのスループットを低下させ、かつ、上りの通信データのスループットを低下させる指示をＰＨＳ端末１へ送信する。
ＰＨＳ端末１の適応変調部３１は、この指示を受信すると、上りの通信データのスループットを低下させる。
【００５９】
図１１は、図１０の処理の説明図である。
タイミングＴ９においてウェブページデータ４１の受信が完了すると、タイミングＴ１０においてＰＨＳ端末１は、スループットを低下させる切替要求を送信する。
その後、タイミングＴ１１において基地局２からスループットを低下させる指示を受信すると、ＰＨＳ端末１の適応変調部３１は、タイミングＴ１２において上りの通信データのスループットを低下させる。
タイミングＴ１２は、切替要求出力部３２がタイマ１４の経過時間によりスループットを低下させる切替要求を送信させるタイミングＴ１３より早い。
よって、実施形態のＰＨＳ端末１は、ウェブページデータ４１の表示に時間がかかる可能性がある場合、早期に通信データのスループットを低下させることができる。
【００６０】
以上のように、本実施形態では、ウェブページデータ４１についての表示部１３による表示が終わる前に、ダミー出力部３４にダミーの通信データを出力させる。
そのため、本実施形態では、ブラウザ部３３が本来のウェブページの送信要求を出力する前に、ウェブページデータ４１の受信が開始される。
【００６１】
また、本実施形態では、表示部１３にリンクが表示されると、ダミー出力部３４がダミーの通信データを出力する。
よって、ウェブページの最後まで表示がなされなくとも、スループットを向上させた状態で、リンク先のウェブページデータ４１を受信できる。
これにより、本実施形態では、ウェブページの先読み処理が実行され、通信データのスループットが向上する。
【００６２】
特に、本実施形態では、ダミーの通信データとして、ウェブページの送信要求を送信する。
これにより、本実施形態では、大量のホームページデータを受信するための、基地局２から携帯電話機への下りの通信路のスループットを向上できる。
よって、本実施形態では、ブラウザ部３３が表示に係るウェブページの送信要求を出力した場合、この表示に係るウェブページのデータは、スループットが上昇した状態で受信が開始される。
その結果、本実施形態では、通信路のスループットが通信データ量に応じて切り替えられるにもかかわらず、通信路の本来の高いスループットにより、表示に係るウェブページデータ４１を高速にダウンロードできる。
そして、本実施形態では、表示に係る本来のウェブページデータ４１のダウンロード時間を短縮し、ウェブページを遅滞無く表示できる。
【００６３】
また、本実施形態のダミー出力部３４は、ダミーの通信データの出力が指示されるとダミーの通信データを繰り返し出力し、経過時間が計測されるまでにブラウザ部３３がウェブページの送信を要求しない場合にはダミーの通信データの出力を終了する。
よって、本実施形態では、ダミーの通信データの出力を開始してから経過時間が経過するまでは高いスループットを確保し、その後には通信路を他の携帯電話機のために開けることができる。
【００６４】
また、本実施形態では、ウェブページデータ４１を受信したときに、ウェブページデータ４１の表示時間を予想する。
そして、ウェブページデータ４１の表示に時間がかかる場合には、本実施形態では、通信データのスループットを低下させる切替要求を送信する。
よって、本実施形態では、表示に時間がかかるウェブページを受信した場合には、受信完了後すぐに通信データのスループットを低下できる。
これにより、本実施形態では、当該携帯電話機が高いスループットを占有する時間を短縮できる。
この短縮時間により、ダミーの通信データによりスループットを先行的に高くした時間を相殺できる。
【００６５】
また、本実施形態のＰＨＳ端末１は、ウェブブラウジングにおけるサイト構成とユーザ操作特性を考慮して、アクティブ機能を最適化し、スループットを向上する。
具体的には、本実施形態では、ブラウザの縦スクロールバーの位置（0〜100％）、ウェブページ全体に対する端末での表示の割合、テキストデータについて端末の画面上での表示の割合、前ページの更新速度などに応じてダミー通信データを送信し、表示に係る実データの受信時のスループットを向上する。
このブラウザの縦スクロールバーの位置（0〜100％）においては、ＰＨＳ端末１は、たとえば縦スクロールバーの最も上の位置を0％、最も下の位置を100％とすると、下へスクロールする速度を記憶し、最も下の位置（100％）に行く前にインアクティブ解除を行い、増設する。
また、ウェブページ全体に対する端末での表示の割合については、ＰＨＳ端末１は、たとえばウェブページ全体の大きさを100％とすると、端末のブラウザ上で表示された割合とその速度を記憶してゆき、100％に到達する前にインアクティブ解除を行い、増設する。
また、テキストデータについて端末の画面上での表示の割合については、ＰＨＳ端末１は、たとえば目次や広告、バナー等を除き、ページの主な構成要素として表示されているテキストデータが、端末のブラウザ上でテキストの始め（0％）から表示されていく（ユーザが読んでいく）場合、その表示される割合と速度を記憶しておき、そのテキストの終わり（100％）に到達する前にインアクティブ解除を行い、増設する。
また、前ページの更新速度については、ＰＨＳ端末１は、たとえばウェブページ表示における端末の操作を学習し、判定基準の値を変更する。
【００６６】
そして、従来は、ウェブブラウジングを行なうデータ通信において、ウェブサイトのダウンロードが完了した後、画一的に定められた一定時間の無通信状態が継続すると、基地局２内への複数ユーザ収容を目的として、通常、ＰＨＳ端末１は、インアクティブ状態へ移行していた。
また、インアクティブ状態になったＰＨＳ端末１は、ウェブサイト内のリンクの押下やサイトの更新等の操作が行われた時点で、はじめてインアクティブ状態を解除し、増設、変調方式を切り替えてデータをダウンロードする。
この動作では、増設、変調方式の切替等を行う分、連続してデータをダウンロードしているときよりも、立ち上がりのスループットが低下する。
この従来のＰＨＳ端末１における画一的なタイマ１４によるインアクティブ移行、および上りデータが発生した時にはじめてインアクティブ解除する動作に対して、本実施形態では、ＰＨＳ端末１がサイト構成とユーザ操作の特性を判定することにより、データ発生の有無を事前に予測する。
そして、本実施形態では、最適なタイミングでインアクティブ移行および解除を行う。
たとえば、本実施形態のＰＨＳ端末１は、データがしばらく発生しないと予想ができる場合には、従来のタイマ１４値よりも早くインアクティブ状態へ移行する。
これにより、基地局２の通信回線の有効利用が図られる。
また、本実施形態のＰＨＳ端末１は、データがすぐに発生すると予想した場合には、事前にリンクを張る。
これにより、次のデータのダウンロードを高速に行うことができる。
また、快適なウェブブラウジングが実現される。
【００６７】
一般的にウェブブラウジングを行う場合、サイトのダウンロードが完了すると、ユーザは画像やテキストが含まれるＷＥＢページを上から下へとスクロールさせてゆき、閲覧を完了すると、次のページのダウンロードを行う。
本実施形態では、インアクティブ移行／解除を従来の固定時間よりも早くするか遅くするか、または適当な空データの送信により、基地局２との通信状態を継続させるかの判断基準として、開いたウェブページ全体に対する端末での既表示の割合、開いたウェブページ全体に対するスクロール割合、現在の表示位置からリンクアイコンまでの距離の割合、テキストデータについて端末の画面上での表示の割合、前ページの更新速度、ウェブページ表示における端末の操作の学習結果に基づいて、タイミングを制御する。
そして、本実施形態では、インアクティブ移行／解除のタイミングを、ウェブブラウジングに最適化できる。
【００６８】
以上の実施形態は、本発明の好適な実施形態の例であるが、本発明は、これに限定されるものではなく、発明の要旨を逸脱しない範囲において種々の変形または変更が可能である。
【００６９】
たとえば上記実施形態では、表示状態を判断し、必要な場合にはダミー通信データを送信してインアクティブからアクティブへ切り替えている。
この他にも例えば、表示状態を判断し、必要な場合にはアクティブからインアクティブへ切り替える時間を長くするように変更してもよい。
【００７０】
上記実施形態は、ＰＨＳ端末１の例である。
この他にも例えば、本発明は、携帯電話機、パーソナルコンピュータ端末、ＰＤＡ（Personal Data Assistance）、携帯ゲーム機器などの通信機器に適用できる。
【００７１】
上記実施形態では、ＰＨＳ端末１と基地局２とは、通信データ量に応じて通信データのスループットを切り替えている。
この他にも例えば、通信機器では、通信データの有無に応じて通信回線を確立または遮断してもよい。
この場合にも、本発明は、ウェブページなどの不定期に発生する通信データの通信を最適化できる。
【００７２】
上記実施形態では、無線通信部１１は、ダミー通信データ４２として、ウェブページデータ４１の送信要求を送信する。
この他にも例えば、無線通信部１１は、ウェブページデータ４１以外のデータ送信を要求するダミー通信データ４２を送信してもよい。
また、上記実施形態では、ＰＨＳ端末１と基地局２との上りデータの変調方式と下りデータの変調方式とは独立に制御される。これに対して、ＰＨＳ端末１と基地局２とは、上りデータの変調方式と下りデータの変調方式とに同じ変調方式を使用してもよい。
上りデータの変調方式と下りデータの変調方式とに同じ変調方式を使用する場合、無線通信部１１は、ウェブページデータ４１などの下りデータの送信を要求するダミー通信データ４２を送信しても、下りデータの送信を要求しない上りデータをダミー通信データ４２として送信してもよい。
【符号の説明】
【００７３】
１…ＰＨＳ端末（通信機器）、２…基地局、１１…無線通信部（通信部）、１２…操作部、１３…表示部、１４…タイマ、１６…ＣＰＵ（制御部）、３１…適応変調部（通信制御部）、３２…切替要求出力部、３３…ブラウザ部、３４…ダミー出力部、３５…表示監視部、４１…ウェブページデータ（通信データ）
【図１】
2011049909.tif 000003
【図２】
2011049909.tif 000004
【図３】
2011049909.tif 000005
【図４】
2011049909.tif 000006
【図５】
2011049909.tif 000007
【図６】
2011049909.tif 000008
【図７】
2011049909.tif 000009
【図８】
2011049909.tif 000010
【図９】
2011049909.tif 000011
【図１０】
2011049909.tif 000012
【図１１】
2011049909.tif 000013